(57)【特許請求の範囲】
【請求項１】
一側をオイルパン（６）に連結し、他側をオイルミスト戻しパイプ（１７）及び排油パイプ（１５）に連結した構成のエンジン（１）の排油装置において、該オイルパン（６）の下端部に継手ボルト（２１）の一端部を接続し、該継手ボルト（２１）の他側には、該排油パイプ（１５）の排油側連結部（１５ａ）、及びミスト戻しパイプ（１７）のミスト側連結部（１７ａ）を嵌装し、該継手ボルト（２１）には、該オイルパン（６）とオイルミスト戻しパイプ（１７）とを連通するミスト側連通油路（２１ｂ）、及びオイルパン（６）と排油パイプ（１５）とを連通する排油側連通油路（２１ａ）を軸方向に形成し、該排油側連通油路（２１ａ）は、該継手ボルト（２１）のオイルパン（６）側端部から途中部まで形成され、該ミスト側連通油路（２１ｂ）は、該排油側連通油路（２１ａ）の外側端部から外側へ延出し、該ミスト側連通油路（２１ｂ）は排油側連通油路（２１ａ）よりも小径に構成し、該ミスト側連通油路（２１ｂ）には戻し管（２２）を挿入し、該戻し管（２２）は、その外径を排油側連通油路（２１ａ）の内径よりも小径に形成し、該戻し管（２２）は、該排油側連通油路（２１ａ）を貫通して、該継手ボルト（２１）の内側端部からオイルパン（６）内に突出したことを特徴とするエンジンの排油装置。
【請求項２】
請求項１記載のエンジンの排油装置において、前記戻し管（２２）の、該継手ボルト（２１）の端部からオイルパン（６）の内方への突出寸法（Ｌ）を、排油時の排油パイプ（１５）側でのエア噛みを防止する長さとしたことを特徴とするエンジンの排油装置。
【請求項３】
請求項１記載のエンジンの排油装置において、前記排油パイプ（１５）を検油棒（２０）を挿入する検油棒管としたことを特徴とするエンジンの排油装置。
【発明の詳細な説明】
【０００１】
【発明の属する技術分野】
本発明は、エンジンの排油装置に関し、特に、排油時のエアの吸い込みを防止するための構成に関する。
【０００２】
【従来の技術】
従来から、排油装置を有するエンジンにおいては、弁腕室内等で発生した潤滑油ミストを、ミストセパレータにより潤滑油と空気とに分離して、分離された空気を給気口へ送るとともに、分離された潤滑油をオイルパンへ戻すように構成しており、該潤滑油は、ミストセパレータとオイルパンとを連通するオイルミスト戻しパイプを通じてオイルパンへ戻されていた。また、オイルパンには排油パイプが接続されており、該排油パイプにポンプを接続して、オイルパン内の潤滑油を排油パイプを通じて抜き出すようにしていた。
【０００３】
例えば、図４に示すように、排油パイプ１０２及びオイルミスト戻しパイプ１０３は、一端部をオイルパン１０１に接続した継手ボルト１０４に連結されている。該継手ボルト１０４にはオイルパン１０１内と連通する油路１０４ａが形成されており、該油路１０４ａには、排油側連通口１０４ｂを形成してオイルパン１０１内部と排油パイプ１０２とを連通するとともに、ミスト側連通口１０４ｃを形成してオイルパン１０１内部とオイルミスト戻しパイプ１０３とを連通している。そして、排油パイプ１０２とオイルミスト戻しパイプ１０３とは、油路１０４ａにより継手ボルト１０４内で連通されている。
【０００４】
【発明が解決しようとする課題】
しかし、前述の如くの構成においては、排油パイプ１０２とオイルパン１０１内とを連通する連通経路と、オイルミスト戻しパイプ１０３とオイルパン１０１内とを連通する連通経路とが、共通の油路１０４ａであったので、該排油パイプ１０２からオイルパン１０１内の潤滑油を吸引する際に、オイルミスト戻しパイプ１０３から油路１０４ａを通じて排油パイプ１０２内にエアを吸い込んでしまい、潤滑油をうまく抜き出すことができなかった。また、このようなエア噛みを防止するためには、オイルミスト戻しパイプ１０３に切換弁を設ける等して、潤滑油を吸引する際に該オイルミスト戻しパイプ１０３と排油パイプ１０２とを分断し、排油パイプ１０２内にオイルミスト戻しパイプ１０３側から空気が吸引されることを防止する必要があったため、構造が複雑で装置が大型化していた。
【０００５】
【課題を解決するための手段】
本発明の解決しようとする課題は以上の如くであり、次に該課題を解決するための手段を説明する。
【０００６】
請求項１においては、一側をオイルパン（６）に連結し、他側をオイルミスト戻しパイプ（１７）及び排油パイプ（１５）に連結した構成のエンジン（１）の排油装置において、該オイルパン（６）の下端部に継手ボルト（２１）の一端部を接続し、該継手ボルト（２１）の他側には、該排油パイプ（１５）の排油側連結部（１５ａ）、及びミスト戻しパイプ（１７）のミスト側連結部（１７ａ）を嵌装し、該継手ボルト（２１）には、該オイルパン（６）とオイルミスト戻しパイプ（１７）とを連通するミスト側連通油路（２１ｂ）、及びオイルパン（６）と排油パイプ（１５）とを連通する排油側連通油路（２１ａ）を軸方向に形成し、該排油側連通油路（２１ａ）は、該継手ボルト（２１）のオイルパン（６）側端部から途中部まで形成され、該ミスト側連通油路（２１ｂ）は、該排油側連通油路（２１ａ）の外側端部から外側へ延出し、該ミスト側連通油路（２１ｂ）は排油側連通油路（２１ａ）よりも小径に構成し、該ミスト側連通油路（２１ｂ）には戻し管（２２）を挿入し、該戻し管（２２）は、その外径を排油側連通油路（２１ａ）の内径よりも小径に形成し、該戻し管（２２）は、該排油側連通油路（２１ａ）を貫通して、該継手ボルト（２１）の内側端部からオイルパン（６）内に突出したものである。
【０００７】
請求項２においては、請求項１記載のエンジンの排油装置において、前記戻し管（２２）の、該継手ボルト（２１）の端部からオイルパン（６）の内方への突出寸法（Ｌ）を、排油時の排油パイプ（１５）側でのエア噛みを防止する長さとしたものである。
【０００８】
請求項３においては、請求項１記載のエンジンの排油装置において、前記排油パイプ（１５）を検油棒（２０）を挿入する検油棒管としたものである。
【０００９】
【発明の実施の形態】
次に、本発明の実施の形態を説明する。図１は本発明の排油装置を有するエンジンを示す正面図、図２は排油装置を示す断面図、図３は排油装置の戻し管の継手ボルトからの突出量と潤滑油流量との関係を示す図、図４は従来の排油装置を示す断面図である。
【００１０】
まず、本発明の排油装置を有するエンジンの概略構成ついて図１により説明する。エンジン１のシリンダブロック３の上端部にはシリンダヘッド４が取り付けられ、該シリンダブロック４の上方には弁腕室５が形成されている。また、シリンダブロック３の下方にはオイルパン６を設けて、該オイルパン６内には潤滑油が貯留されている。
【００１１】
オイルパン６には管状部材である排油パイプ１５が連結されており、該排油パイプ１５にポンプを接続し、オイルパン６内の潤滑油をポンプにより吸引することで、該排油パイプ１５を通じて外部に抜き出すことを可能としている。また、排油パイプ１５には、検油棒２０を挿入して、該検油棒２０により潤滑油量や潤滑油の汚れ等を点検可能としている。
【００１２】
このように、排油パイプ１５を、オイルパン６内の潤滑油を抜き出すためのパイプ部材として用いるとともに、検油棒２０が挿入される検油棒管としても用いることにより、構造を簡単としてオイル漏れを防止するとともに低コスト化を図っている。
【００１３】
前記シリンダヘッド４の一側方（図１における右側方）には、潤滑油ミストを潤滑油と空気とに分離するミストセパレータ１９が配設され、該ミストセパレータ１９と弁腕室５とをミストパイプ１６により連結して、該弁腕室５内の潤滑油ミストをミストセパレータ１９に案内している。
【００１４】
ミストセパレータ１９に案内された潤滑油ミストは、該ミストセパレータ１９内にて潤滑油と空気とに分離され、分離された空気が給気サイレンサ１２を介して給気マニホルド１１へ送出されるとともに、分離された潤滑油がミスト戻しパイプ１７を通じてオイルパン６内へ戻るように構成している。
【００１５】
次に、排油パイプ１５及びミスト戻しパイプ１７の、オイルパン６との連結部の構成について説明する。図２に示すように、オイルパン６の下端部には継手ボルト２１の一端部が接続されており、該継手ボルト２１の他側には、排油パイプ１５の排油側連結部１５ａ、及びミスト戻しパイプ１７のミスト側連結部１７ａが連結されている。
【００１６】
継手ボルト２１には、オイルパン６内部と連通する油路２１ａ・２１ｂが軸方向に形成されている。油路２１ａは継手ボルト２１の内側（オイルパン６側）端部から途中部まで形成され、油路２１ｂは油路２１ａの外側端部から外側へ延出されている。
【００１７】
油路２１ｂは油路２１ａよりも小径に形成され、該油路２１ｂには戻し管２２が挿入されている。戻し管２２は、その外径を油路２１ａの内径よりも小径に形成され、該油路２１ａを貫通して継手ボルト２１の内側端部からオイルパン６内に突出している。そして、油路２１ａと、油路２１ｂ及び戻し管２２とは、継手ボルト２１内では連通しておらず、互いに独立した経路を構成している。
【００１８】
また、継手ボルト２１には、油路２１ａと排油パイプ１５とを連通する複数の排油側連通口２１ｃを開口するとともに、油路２１ｂとミスト戻しパイプ１７とを連通する複数のミスト側連通口２１ｄを開口している。これにより、オイルパン６と排油パイプ１５とが継手ボルト２１の油路２１ａを介して連通され、オイルパン６とミスト戻しパイプ１７とが油路２１ｂ及び戻し管２２を介して連通されている。
【００１９】
即ち、オイルパン６と排油パイプ１５とを連通する排油側連通経路である油路２１ａと、オイルパン６とミスト戻しパイプ１７とを連通するミスト側連通経路である油路２１ｂ及び戻し管２２とは、互いに独立した連通経路に構成されている。
【００２０】
また、ミスト側連通通路を構成する戻し管２２は、前述の如く排油側連通経路を構成する油路２１ａを貫通しており、該油路２１ａ及び戻し管２２は二重管構造とされている。そして、継手ボルト２１や排油パイプ１５や戻し管２２等で、オイルパン６から潤滑油を抜き出すための排油装置を構成している。
【００２１】
このように、排油側連通経路とミスト側連通経路とを独立して構成することで、排油パイプ１５からオイルパン６内の潤滑油を抜き出す際に、ミスト戻しパイプ１７内のエアが排油パイプ１５側に回り込むことがなく、排油パイプ１５内でのエア噛みを防止して、円滑に潤滑油の吸い出しを行うことができる。
【００２２】
また、オイルミスト戻しパイプ１７に切換弁を設ける必要がなく、潤滑油の抜き出し作業時に切換弁の開閉作業も不要であるので、誤操作が発生する恐れがなく、排油装置の低コスト化を図ることができる。さらに、油路２１ａ及び戻し管２２は二重管構造とされているので、排油装置を簡単な構成とすることができ、故障や不具合の発生を防止することができる。
【００２３】
また、戻し管２２は、前述の如く、継手ボルト２１からオイルパン６の内方に突出しているが、その突出寸法を寸法Ｌとして、排油時の排油パイプ１５側でのエア噛みを確実に防止するようにしている。即ち、戻し管２２の突出量が大きくなると、排油パイプ１５側に吸入されるエア量が減少して、吸い出される潤滑油の排油パイプ１５内の流量が増加するため、該戻し管２２を継手ボルト２１から寸法Ｌだけ突出させてエア噛みを無くして、確実且つ円滑に潤滑油を吸い出すように構成しているのである。
【００２４】
例えば、図３には、戻し管２２の突出寸法と、排油パイプ１５内における潤滑油流量との関係を示しており、戻し管２２の突出寸法が大きくなるにつれて潤滑油流量が増加し、突出寸法がＬ１を超えると潤滑油は一定となっている。これは、戻し管２２の突出寸法が大きくなるにつれてエア噛みが減少し、突出寸法がＬ１より大きくなると、エア噛みが完全になくなることを示している。
【００２５】
従って、本排油装置においては、戻し管２２の継手ボルト２１からの突出寸法Ｌが寸法Ｌ１より大きくなるように構成してエア噛みを確実に防止し、潤滑油流量を確保して潤滑油の吸い出しを確実且つ円滑に行うようにしている。
【００２６】
【発明の効果】
本発明は以上の如く構成したので、次のような効果を奏するのである。
請求項１記載の如く、一側をオイルパン（６）に連結し、他側をオイルミスト戻しパイプ（１７）及び排油パイプ（１５）に連結した構成のエンジン（１）の排油装置において、該オイルパン（６）の下端部に継手ボルト（２１）の一端部を接続し、該継手ボルト（２１）の他側には、該排油パイプ（１５）の排油側連結部（１５ａ）、及びミスト戻しパイプ（１７）のミスト側連結部（１７ａ）を嵌装し、該継手ボルト（２１）には、該オイルパン（６）とオイルミスト戻しパイプ（１７）とを連通するミスト側連通油路（２１ｂ）、及びオイルパン（６）と排油パイプ（１５）とを連通する排油側連通油路（２１ａ）を軸方向に形成し、該排油側連通油路（２１ａ）は、該継手ボルト（２１）のオイルパン（６）側端部から途中部まで形成され、該ミスト側連通油路（２１ｂ）は、該排油側連通油路（２１ａ）の外側端部から外側へ延出し、該ミスト側連通油路（２１ｂ）は排油側連通油路（２１ａ）よりも小径に構成し、該ミスト側連通油路（２１ｂ）には戻し管（２２）を挿入し、該戻し管（２２）は、その外径を排油側連通油路（２１ａ）の内径よりも小径に形成し、該戻し管（２２）は、該排油側連通油路（２１ａ）を貫通して、該継手ボルト（２１）の内側端部からオイルパン（６）内に突出したので、排油パイプからオイルパン内の潤滑油を抜き出す際に、ミスト戻しパイプ内のエアが排油パイプ側に回り込むことがなく、排油パイプ内でのエア噛みを防止して、円滑に潤滑油の吸い出しを行うことができる。また、オイルミスト戻しパイプに切換弁を設ける必要がなく、潤滑油の抜き出し作業時に切換弁の開閉作業も不要であるので、誤操作が発生する恐れがなく、排油装置の低コスト化を図ることができる。
【００２７】
また、前記ミスト側連通経路と排油側連通経路とを二重管構造としたので、排油装置を簡単な構成とすることができ、故障や不具合の発生を防止することができる。
【００２８】
請求項２に記載の如く、請求項１記載のエンジンの排油装置において、前記戻し管（２２）の、該継手ボルト（２１）の端部からオイルパン（６）の内方への突出寸法（Ｌ）を、排油時の排油パイプ（１５）側でのエア噛みを防止する長さとしたので、エア噛みを確実に防止し、潤滑油流量を確保して潤滑油の吸い出しを確実且つ円滑に行うことができる。
【００２９】
請求項３記載の如く、請求項１記載のエンジンの排油装置において、前記排油パイプ（１５）を検油棒（２０）を挿入する検油棒管としたので、構造が簡単となり、オイル漏れを防止するとともに低コスト化を図ることができる。
【図面の簡単な説明】
【図１】  本発明の排油装置を有するエンジンを示す正面図である。
【図２】  排油装置を示す断面図である。
【図３】  排油装置の戻し管の継手ボルトからの突出量と潤滑油流量との関係を示す図である。
【図４】  従来の排油装置を示す断面図である。
【符号の説明】
Ｌ  突出寸法
１  エンジン
５  弁腕室
６  オイルパン
１５  排油パイプ
１７  ミスト戻しパイプ
１９  ミストセパレータ
２０  検油棒
２１  継手ボルト
２１ａ・２１ｂ  油路
２２  戻し管
【図１】
0004388658.tif 000002
【図２】
0004388658.tif 000003
【図３】
0004388658.tif 000004
【図４】
0004388658.tif 000005